(57)【特許請求の範囲】
【請求項１】
複数の缶容器の上縁部に上方から嵌合する上ホルダと、
複数の前記缶容器の前記上縁部に下方から嵌合する下ホルダと、
前記上ホルダに対して前記下ホルダを上下方向に移動させるグリップと、を備え、
前記上ホルダと前記下ホルダとによって、複数の前記缶容器の前記上縁部を挟持できるようになっており、
前記グリップが握られていない状態で、前記下ホルダを下方向に移動不能になるようにされ、前記グリップが握られている状態で、前記下ホルダを下方向に移動可能になるようにされた保持機構をさらに備え、
前記保持機構は、前記グリップの下面に設けられて奥側に向かって縮径する内面を有するグリップ孔と、前記上ホルダに上下方向に貫通形成されたホルダ孔と、前記下ホルダに連結されて拡径／縮径可能に形成されているロックピンと、から構成されて、
前記グリップが握られていない状態では、前記ロックピンが前記グリップ孔に押し込まれずに拡径状態となって前記ホルダ孔上に掛止され、
前記グリップが握られている状態では、前記ロックピンが前記グリップ孔に押し込まれて縮径状態となって前記ホルダ孔内に挿入されるようにされている、缶容器の保持具。
【請求項２】
前記グリップは、前記上ホルダのアーム部に上方向から嵌合されて、握られることによって前記グリップは前記アーム部に対して下方向に移動するように構成されている、請求項１に記載された缶容器の保持具。
【請求項３】
前記上ホルダの下面には前記缶容器の上縁部と嵌合する円弧溝が形成されるとともに、前記下ホルダの上面には前記缶容器の上縁部と掛合する円弧凸部が形成されて、前記円弧溝と前記円弧凸部とによって、前記缶容器の上縁部を挟持するようになっている、請求項１又は請求項２に記載された缶容器の保持具。
【請求項４】
前記グリップは、前記上ホルダに上下方向に摺動自在に取り付けられるとともに、弾性部材によって上方向に付勢されている、請求項１乃至請求項３のいずれか一項に記載された缶容器の保持具。
【請求項５】
前記下ホルダは、複数の前記缶容器を所定の位置までガイドする内側ガイド円筒面をさらに備える、請求項１乃至請求項４のいずれか一項に記載された缶容器の保持具。
【請求項６】
前記上ホルダは、複数の前記缶容器を所定の位置までガイドする外側ガイド円筒面をさらに備える、請求項１乃至請求項５のいずれか一項に記載された缶容器の保持具。
【請求項７】
少なくとも６本の缶容器を保持できるようになっている、請求項１乃至請求項６のいずれか一項に記載された缶容器の保持具。
【発明の詳細な説明】
【技術分野】
【０００１】
本発明は、ビール缶やジュース缶を含む缶容器の保持具に関するものである。
【背景技術】
【０００２】
従来から、ビール缶は、工場から出荷される際に、２４本などの複数本の単位で梱包して配送されていることが一般的である。そして、コンビニエンスストアなどの小売業者には、６本などのより小さい単位に小分けされて配送される。
【０００３】
例えば、特許文献１に記載された缶容器包装体は、一枚のシート状部材を折り曲げて構成され、底面部と、一対の側面部と、一対の上片部と、複数の連結片と、を備え、連結片が互いに連結されることで、缶容器を側面部によって挟持する構造が開示されている。この缶容器包装体を用いれば、包装した缶容器を脱落させることなく運搬することができる。
【先行技術文献】
【特許文献】
【０００４】
【特許文献１】特開２００９−１６６８４８号公報
【発明の概要】
【発明が解決しようとする課題】
【０００５】
他方、２４本などの大きな単位で梱包・配送された缶容器を、６本などのより小さい単位に小分けする作業が必要となる場合がある。しかしながら、上述した特許文献１の缶容器包装体は、シート状部材から構成される使い捨てタイプの梱包材であり、小分け作業を実施できるものではなかった。
【０００６】
そこで、本発明は、大きな単位で梱包された缶容器を、より小さい単位に効率よく小分けすることのできる、缶容器の保持具を提供することを目的としている。
【課題を解決するための手段】
【０００７】
前記目的を達成するために、本発明の缶容器の保持具は、複数の缶容器の上縁部に上方から嵌合する上ホルダと、複数の前記缶容器の前記上縁部に下方から嵌合する下ホルダと、前記上ホルダに対して前記下ホルダを上下方向に移動させるグリップと、を備え、前記上ホルダと前記下ホルダとによって、複数の前記缶容器の前記上縁部を挟持できるようになっている。
【発明の効果】
【０００８】
このように、本発明の缶容器の保持具は、複数の缶容器の上縁部に上方から嵌合する上ホルダと、複数の缶容器の上縁部に下方から嵌合する下ホルダと、上ホルダに対して下ホルダを上下方向に移動させるグリップと、を備え、上ホルダと下ホルダとによって、複数の缶容器の上縁部を挟持できるようになっている。このような構成であるから、大きな単位で梱包された缶容器を、より小さい単位に効率よく小分けすることができる。
【図面の簡単な説明】
【０００９】
【図１】缶容器の保持具の斜視図である。
【図２】缶容器の保持具を部品に分解した分解斜視図である。
【図３】上ホルダの構成を説明する説明図である。（ａ）は斜視図であり、（ｂ）は底面図である。
【図４】下ホルダの構成を説明する説明図である。（ａ）は下から見た斜視図であり、（ｂ）は底面図である。
【図５】グリップの構成を説明する説明図である。（ａ）は斜視図であり、（ｂ）は断面図である。
【図６】ロックピンの構成を説明する説明図である。（ａ）は斜視図であり、（ｂ）は側面図である。
【図７】保持機構の構成を説明する断面図である。
【図８】ロックピンの作用を説明する拡大断面図である。（ａ）はグリップを握らず缶容器を保持していない状態であり、（ｂ）はグリップを握った状態であり、（ｃ）はグリップを握らず缶容器を保持した状態である。
【図９】缶容器を保持した状態の缶容器の上縁部近傍の拡大図である。
【図１０】缶容器の保持具の使用状態（缶を保持した状態）を説明する斜視図である。
【図１１】ビール缶の構成を説明する説明図である。（ａ）は側面図であり、（ｂ）は（ａ）のＡ部近傍の拡大断面図である。
【発明を実施するための形態】
【００１０】
以下、本発明の実施の形態について図面を参照して説明する。ただし、以下の実施例に記載されている構成要素は例示であり、本発明の技術範囲をそれらのみに限定する趣旨のものではない。
【実施例】
【００１１】
（缶容器の構成）
まず、図１１（ａ）、（ｂ）を用いて、本実施例の缶容器の保持具１によって保持される缶容器としてのビール缶Ｃの形状について説明する。なお、以下では、缶容器としてビール缶Ｃを例に挙げて説明するが、これに限定されるものではなく、缶容器としては他のアルコール類の缶容器、若しくは、ジュース類を含む飲料の缶容器、又は、他の食品類の缶容器等であっても本発明を適用できる。
【００１２】
本実施例の缶容器としてのビール缶Ｃは、図１１（ａ）に示すように、本体となる円筒容器状の缶胴部Ｃ１と、缶胴部Ｃ１の上端開口を封止する蓋部Ｃ２と、から構成される。すなわち、缶胴部Ｃ１の上縁部と蓋部Ｃ２の外周の折り返し縁部は、一体にされて外向きに巻き込みつつ締め付けられて、ビール缶Ｃの上縁部Ｃ３を形成している。
【００１３】
より詳細に言うと、図１１（ｂ）に示すように、缶胴部Ｃ１の上縁近傍には、径が漸減された、くびれ部Ｃ４が設けられており、上縁部Ｃ３の径は、すぐ下のくびれ部Ｃ４（缶胴部Ｃ１の）の径よりも大きくなっている。したがって、このくびれ部Ｃ４と上縁部Ｃ３の間には、凹部（段差部）が形成されている。後述するように、缶容器の保持具１によって、このくびれ部Ｃ４を掴むことによって、缶容器を保持するようになっている。
【００１４】
（缶容器の保持具の構成）
次に、図１、図２、図１１を用いて、本発明の缶容器の保持具１の全体構成を説明する。本実施例の缶容器の保持具１は、携帯可能な小型の保持具であって、図１、図２に示すように、複数の缶容器としてのビール缶Ｃ、・・・の上縁部Ｃ３に上方から嵌合する上ホルダ２と、複数の缶容器としてのビール缶Ｃ、・・・の上縁部Ｃ３に下方から嵌合する下ホルダ３と、握られることで上ホルダ２に対して下ホルダ３を移動させるグリップ４と、を備えており、上ホルダ２と下ホルダ３とによって、複数の缶容器としてのビール缶Ｃ、・・・の上縁部Ｃ３を挟持できるようになっている。
【００１５】
つまり、図２の分解斜視図に示すように、缶容器の保持具１は、缶容器としてのビール缶Ｃの上縁部Ｃ３に上から嵌め込まれる上ホルダ２と、この上ホルダ２の下に配置され上ホルダ２に対して上下移動できるようにされた下ホルダ３と、上ホルダ２の上部に嵌め込まれ上ホルダ２に対して上下移動できるようにされたグリップ４と、から構成されている。
【００１６】
さらに、グリップ４が上ホルダ２に対して上下移動する際には、２本のロックピン５、５がスライド軸となって、移動方向を規定（案内）している。そして、これらの２本のロックピン５、５が下ホルダ３に対してビス（不図示）で固定されており、ロックピン５、５と下ホルダ３は一体となって動作するようになっている。
【００１７】
上ホルダ２は、図３（ａ）、（ｂ）に示すように、ビール缶Ｃを保持するための本体部である平板状のベース２０と、手で缶容器の保持具１を持つためにベース２０の上部に取り付けられたアーム部２１と、によって概略構成されている。
【００１８】
ベース２０には、６本のビール缶Ｃ、・・・をガイドして保持しやすくするために、外縁から下方に向けて、ビール缶Ｃ、・・・の側面に沿う６つの外側ガイド円筒面２７、・・・が形成されている。すなわち、外側ガイド円筒面２７は、ビール缶Ｃの外側を内向きに案内するために、内向きの円筒面となっている。さらに、ベース２０には、各ビール缶Ｃ、・・・の位置に対応して、ビール缶Ｃを視認するために、さらには軽量化のために、６つの孔２０ａ、・・・が設けられている。
【００１９】
そして、本実施例のベース２０の下面には、６つの外側ガイド円筒面２７、・・・に対向するようにして、ビール缶Ｃの上縁部Ｃ３と嵌合する、６つの円弧溝２８、・・・が形成されている。すなわち、円弧溝２８は、ビール缶Ｃの上縁部Ｃ３の内側と嵌合するように、外向きの円孤となっている。
【００２０】
また、アーム部２１は、全体としてベース２０から台形状に突出したアーム状に形成されており、ベース２０との間に把持穴２５が形成されている。この把持穴２５は、アーム部２１及びグリップ４を手で持った際に、手指（人差し指から小指まで）が挿入される開口部である。
【００２１】
そして、アーム部２１において把持穴２５の上側には、上方向に開口することで、上方向からグリップ４が嵌合されるグリップ嵌合穴２２が形成されている。なお、一旦、グリップ嵌合穴２２に嵌合されたグリップ４は、グリップ４の側面のツメ４０ａが、アーム部２１の側面のツメ受穴２１ａに嵌合するため、脱落しないようになっている。
【００２２】
さらに、グリップ嵌合穴２２の底面からベース２０の底面まで、２つの軸スリーブ２３、２３が連通形成されている。そして、この軸スリーブ２３、２３の円筒形状の内面が、後述するロックピン５、５が上下方向に移動する空間となっている。すなわち、後述するように、この軸スリーブ２３の内側のホルダ孔２３ａにロックピン５が挿入される。さらに、グリップ嵌合穴２２の底面には、グリップ４を押し上げるバネ６０、６０を設置するための短円筒形状のバネ受け２４、２４が形成されている。
【００２３】
下ホルダ３は、図４に示すように、図４（ａ）、（ｂ）に示すように、ビール缶Ｃを保持するための本体部であるベース３０と、ベース３０の側面に形成される６つの外向きの円筒面である内側ガイド円筒面３２、・・・と、上面に形成されてビール缶Ｃの上縁部Ｃ３のすぐ下のくびれ部Ｃ４と嵌合する円弧凸部３１と、内側ガイド円筒面３２と円弧凸部３１を連続的に接続する傾斜面３３と、を備えている。
【００２４】
つまり、本実施例のベース３０の上面には、６つの外側ガイド円筒面２７、・・・に対向するようにして、ビール缶Ｃの上縁部Ｃ３のすぐ下のくびれ部Ｃ４と嵌合する、６つの円弧凸部３１、・・・が形成されている。すなわち、円弧凸部３１は、ビール缶Ｃの上縁部Ｃ３の内側と嵌合するように、外向きの円孤となっている。
【００２５】
また内側ガイド円筒面３２は、ビール缶Ｃの内側を外向きに案内するために、外向きの円筒面となっている。そして、傾斜面３３によって、ビール缶Ｃは、初期配置よりも少しだけ外側に移動され、外側ガイド円筒面２７に当接してスライド移動しつつ、円弧溝２８に嵌合するとともに、円弧凸部３１によって下から支持されるようになっている。すなわち、円弧溝２８と円弧凸部３１とによって、ビール缶Ｃの上縁部Ｃ３が挟持されるようになっている（図９も参照）。
【００２６】
グリップ４は、図５（ａ）、（ｂ）に示すように、本体部である中空のベース４０と、ベース４０の下面に上向きに形成されるグリップ孔４１と、バネ６０を設置するための短円筒状のバネ受け４２と、を備えている。
【００２７】
グリップ４は、上ホルダ２のグリップ嵌合穴２２に上方向から下方向に向かって嵌め込まれるようになっている。また、ベース４０の側面にはツメ４０ａが形成されており、上ホルダ２のアーム部２１のツメ受穴２１ａに嵌め込まれるようになっている。したがって、グリップ４及びアーム部２１を握ることで、グリップ４は下方向に移動するが、アーム部２１を支持しただけの状態では、グリップ４は下方向に移動することはない。
【００２８】
そして、グリップ孔４１は、グリップ４の下面から上方向（奥側）に向かって縮径する内面を有しており、スライド軸としてのロックピン５が挿入されるようになっている。さらに、バネ受け４２には、上ホルダ２のバネ受け２４との間にバネ６０が挿入されており、グリップ４は、常に上ホルダ２から上向きに付勢されている。
【００２９】
したがって、グリップ４を握ろうとすると、少なくともバネ６０の付勢力（弾性反力）に対抗する力で、グリップ４を握る必要がある。そこで、本実施例では、以下に説明するように、バネ６０の弾性反力によることなく、保持機構Ｍによってビール缶Ｃを保持することで、バネ６０の強度を弱いものにすることができる。
【００３０】
（保持機構の構成）
すなわち、本実施例の缶容器の保持具１は、図７、図８（ａ）〜（ｃ）に示すように、グリップ４が握られていない状態で、下ホルダ３を下方向に移動不能になるようにされ、グリップ４が握られている状態で、下ホルダ３を下方向に移動可能になるようにされた保持機構Ｍをさらに備えている。
【００３１】
具体的に言うと、保持機構Ｍは、グリップ４の下面に設けられて奥側に向かって縮径する内面を有するグリップ孔４１と、上ホルダ２に上下方向に貫通形成されたホルダ孔２３ａと、下ホルダ３に連結されて拡径／縮径可能に形成されているロックピン５と、から構成されている。保持機構Ｍは、ロックピン５をホルダ孔２３ａから押し出す方向に付勢するバネ６１をさらに備えることが好ましい。すなわち、バネ６１は、ホルダ孔２３ａの奥側に配置されており、ロックピン５を押し出す方向に弾性力を作用させるようになっている。
【００３２】
ロックピン５は、図６（ａ）、（ｂ）に示すように、上部の円柱形状の軸５０と、内部にビス孔５４ａが設けられた下部の取付部５４と、軸５０に沿って伸びる４本のピンアーム５１、・・・と、から概略構成されている。そして、ピンアーム５１の先端近傍は細く形成されるとともに、途中には段差５２が形成されている。さらに、ピンアーム５１の基部には、側方に突出するガイド突起５３が形成されている。後述するように、ロックピン５がホルダ孔２３ａに挿入された状態において、取付部５４の周囲にバネ６１が嵌め込まれている。
【００３３】
すなわち、ピンアーム５１は、軸５０の周囲に９０度ずつ角度をおいて４本設置されており、その長さは軸５０よりも少し短く形成されている。そして、ピンアーム５１の先端部近傍は、ロケット状に尖って形成されており、グリップ４のグリップ孔４１の内面に当接して基部を中心に弾性変形するようになっている。
【００３４】
さらに、ピンアーム５１の長さ方向の途中には、段差５２が形成されている。そして、ピンアーム５１は、図８（ａ）に示すように、その先端がグリップ孔４１の浅い位置に当接した状態では内側に弾性変形することなく、段差５２が上ホルダ２のホルダ孔２３ａの上面に掛止される。一方、ピンアーム５１は、図８（ｂ）に示すように、その先端がグリップ孔４１の深い位置に当接した状態では内側に弾性変形することで、段差５２は上ホルダ２のホルダ孔２３ａの内部まで挿入される。
【００３５】
すなわち、グリップ４が握られていない状態では、ロックピン５がグリップ孔４１の深い位置まで押し込まれずに拡径状態となってホルダ孔２３ａ上に掛止される。一方、グリップ４が握られている状態では、ロックピン５がグリップ孔４１の深い位置まで押し込まれて縮径状態となってホルダ孔２３ａ内に挿入されるようにされている。
【００３６】
（作用）
次に、図８（ａ）〜（ｃ）、図９、図１０を用いて、本実施例の缶容器の保持具１の作用について説明する。缶容器の保持具１は、以下に示すように、複数の缶容器としてのビール缶Ｃ、・・・を一度に小分けする小分け作用と、缶容器を挟持する挟持作用、缶容器を保持して落とさない保持作用を有している。
【００３７】
まず、缶容器の保持具１の小分け作用について説明する。本実施例の缶容器の保持具１は、図１０に示すように、６本の缶容器としてのビール缶Ｃ、・・・を一度に小分けすることができるようになっている。この際には、外側ガイド円筒面２７と内側ガイド円筒面３２とによってビール缶Ｃの上縁部Ｃ３を所定の位置（円弧溝２８と円弧凸部３１で挟持できる位置）までガイドするようになっている。
【００３８】
次に、缶容器の保持具１の挟持作用について説明する。本実施例の缶容器の保持具１は、図９に示すように、上ホルダ２の下面の円弧溝２８と、下ホルダ３の円弧凸部３１と、によって、ビール缶Ｃの上縁部Ｃ３を挟持できるようになっている。より具体的に言うと、ビール缶Ｃの上縁部Ｃ３は、円弧溝２８に嵌め込まれるとともに、上縁部Ｃ３の直下のくびれ部Ｃ４に、円弧凸部３１が差し込まれることによって、上縁部Ｃ３を挟持するようになっている。そして、この際には、保持機構Ｍが存在することによって、ビール缶Ｃを挟持した状態を維持するようになっている。
【００３９】
次に、缶容器の保持具１の保持作用について説明する。本実施例の缶容器の保持具１は、図８（ａ）〜（ｃ）に示すように、保持機構Ｍを有することで、缶容器としてのビール缶Ｃを挟持した状態を維持する保持機能を有する。
【００４０】
まず、図８（ａ）に示すように、グリップ４を握らずビール缶Ｃを保持していない状態では、グリップ４はバネ６０（図７参照）によって上向きに押されて最高位置となっている。また、ロックピン５は拡径状態となり、段差５２はホルダ孔２３ａの上方に位置する。したがって、下ホルダ３は最高位置となって、下ホルダ３と上ホルダ２は当接している。この状態では、ホルダ孔２３ａの下部のバネ６１はロックピン５を上方向に付勢していない。
【００４１】
次に、図８（ｂ）に示すように、グリップ４をしっかりと手で握った状態では。グリップ４はバネ６０に抗して下向きに押されて最低位置となっている。そうすると、ロックピン５は縮径状態となり、段差５２はホルダ孔２３ａに挿入される。したがって、下ホルダ３は上ホルダ２に掛止されることなく、最低位置となって、下ホルダ３と上ホルダ２の間に隙間を生じる。この状態では、ホルダ孔２３ａの下部のバネ６１は、最大の弾性力によって、ロックピン５を上方向に付勢している。
【００４２】
そして、グリップ４を握った状態で缶容器の保持具１を６本のビール缶Ｃ、・・・に上方から押し付け、さらに握った力を弱めることによって、６本のビール缶Ｃ、・・・それぞれの上縁部Ｃ３を円弧溝２８と円弧凸部３１によって挟持する。すなわち、ビール缶Ｃに缶容器の保持具１を押し付けた状態では、ビール缶Ｃの上縁部Ｃ３が上ホルダ２の円弧溝２８に嵌入している。その後、握った力を弱めることで、ビール缶Ｃの上縁部Ｃ３が下ホルダ３の円弧凸部３１によって下方から上方に押し付けられるようになるのである。
【００４３】
次に、図８（ｃ）に示すように、グリップ４を握らずに把持穴２５に手指を入れて支持した状態にすると、グリップ４はバネ６０によって上向きに押される。さらに、ロックピン５はバネ６１によって上方向に付勢されて移動して拡径状態となり、段差５２はホルダ孔２３ａ（ベース２０）の上面に掛止される。この状態では、ロックピン５と連結された下ホルダ３も下方向に移動することはない。したがって、ビール缶Ｃを保持した状態を維持することができる。
【００４４】
加えて、保持機構Ｍが存在することによって、バネ６０、６０として弾性反力の小さい、弱いバネを使用することができる。そして、このように弱いバネを使用することができれば、グリップ４を握る際には、弱い力で握ればよいといえる。つまり、一日に多数のビール缶Ｃ、・・・を移動させる場合には、数百回の小分け作用を実施する可能性があるところ、バネ６０、６０が強いバネであれば作業者の握力が消耗してしまう。一方、保持機構Ｍが存在すれば、バネ６０、６０として弱いバネを使用することができるため、作業者の握力の消耗を抑制することができる。なお、ロックピン５、５を押し出すバネ６１、６１は必要となるものの、このバネ６１、６１の強さはロックピン５、５を押し出すことができる程度の弱いバネでよい。
【００４５】
（効果）
次に、本実施例の缶容器の保持具１の奏する効果を列挙して説明する。
【００４６】
（１）上述してきたように、缶容器の保持具１は、複数の缶容器としてのビール缶Ｃ、・・・の上縁部Ｃ３に上方から嵌合する上ホルダ２と、複数の缶容器としてのビール缶Ｃ、・・・の上縁部Ｃ３に下方から嵌合する下ホルダ３と、上ホルダ２に対して下ホルダ３を上下方向に移動させるグリップ４と、を備えており、上ホルダ２と下ホルダ３とによって、複数の缶容器としてのビール缶Ｃ、・・・の上縁部Ｃ３を挟持できるようになっている。このような構成であれば、大きな単位で梱包されたビール缶Ｃ、・・・を、より小さい単位に効率よく、衛生的に、小分けすることができる。さらに、特別に大掛かりな機械設備などを用いることなく、簡易な携帯型の缶容器の保持具１とすることで、様々な状況下にてより簡易に利用可能となる。
【００４７】
（２）また、グリップ４は、上ホルダ２のアーム部２１に上方向から嵌合されて、握られることによってグリップ４はアーム部２１に対して下方向に移動するように構成されているため、アーム部２１を下から支持しているだけの状態ではグリップ４が握られることがない。このため、缶容器の保持具１を用いれば缶容器を保持した状態での移動が容易になる。
【００４８】
（３）さらに、グリップ４が握られていない状態で、下ホルダ３を下方向に移動不能になるようにされ、グリップ４が握られている状態で、下ホルダ３を下方向に移動可能になるようにされた保持機構Ｍをさらに備えることで、ビール缶Ｃを落とすことなく小分け（移動）させることができる。加えて、このように保持機構Ｍを備えることで、グリップ４を上向きに付勢するバネ６０を弱いものにできるため、作業者の握力の消耗を抑制できる。
【００４９】
（４）また、保持機構Ｍは、グリップ４の下面に設けられて奥側に向かって縮径する内面を有するグリップ孔４１と、上ホルダ２に上下方向に貫通形成されたホルダ孔２３ａと、下ホルダ３に連結されて拡径／縮径可能に形成されているロックピン５と、から構成されている。そして、グリップ４が握られていない状態では、ロックピン５がグリップ孔４１に押し込まれずに拡径状態となってホルダ孔２３ａ上に掛止され、グリップ４が握られている状態では、ロックピン５がグリップ孔４１に押し込まれて縮径状態となってホルダ孔２３ａ内に挿入されるようにされている。このように構成されることで、複雑な動作を簡単な構造によって、かつ、確実に実行できる。
【００５０】
（５）さらに、上ホルダ２の下面には缶容器としてのビール缶Ｃの上縁部Ｃ３と嵌合する円弧溝２８が形成されるとともに、下ホルダ３の上面にはビール缶Ｃの上縁部Ｃ３と掛合する円弧凸部３１が形成されて、円弧溝２８と円弧凸部３１とによって、ビール缶Ｃの上縁部Ｃ３を挟持するようになっている。このように構成することで、ビール缶Ｃの形状の特徴を利用して、ビール缶Ｃを落とすことなく、確実に挟持できる。
【００５１】
（６）また、グリップ４は、上ホルダ２に上下方向に摺動自在に取り付けられるとともに、弾性部材としてのバネ６０、６０によって上方向に付勢されていることで、握っていない状態で上方向に移動するようになり、ロックピン５の動作をサポートしている。
【００５２】
（７）さらに、下ホルダ３は、複数の缶容器としてのビール缶Ｃ、・・・を所定の位置までガイドする内側ガイド円筒面３２をさらに備えることで、小分け作業を効率よく実施することができる。
【００５３】
（８）また、上ホルダ２は、複数の缶容器としてのビール缶Ｃ、・・・を所定の位置までガイドする外側ガイド円筒面２７をさらに備えることで、小分け作業を効率よく実施することができる。
【００５４】
（９）さらに、少なくとも６本の缶容器としてのビール缶Ｃ、・・・を保持できるようになっていることで、きわめて効率よく缶容器を小分けできる。
【００５５】
以上、図面を参照して、本発明の実施例を詳述してきたが、具体的な構成は、この実施例に限らず、本発明の要旨を逸脱しない程度の設計的変更は、本発明に含まれる。
【００５６】
例えば、実施例では、缶容器としてビール缶Ｃについて説明したが、これに限定されるものではなく、上縁近傍にくびれ部Ｃ４を有する缶容器であれば、他の缶容器にも本発明を適用できる。
【符号の説明】
【００５７】
１      ：保持具
２      ：上ホルダ
３      ：下ホルダ
４      ：グリップ
５      ：ロックピン
２０    ：ベース
２０ａ  ：孔
２１    ：アーム部
２１ａ  ：ツメ受穴
２２    ：グリップ嵌合穴
２３    ：軸スリーブ
２３ａ  ：ホルダ孔
２４    ：バネ受け
２５    ：把持穴
２７    ：外側ガイド円筒面
２８    ：円弧溝
３０    ：ベース
３１    ：円弧凸部
３２    ：内側ガイド円筒面
３３    ：傾斜面
４０    ：ベース
４０ａ  ：ツメ
４１    ：グリップ孔
４２    ：バネ受け
５０    ：軸
５１    ：ピンアーム
５２    ：段差
５３    ：ガイド突起
５４    ：取付部
５４ａ  ：ビス孔
６０    ：バネ
６１    ：バネ
Ｃ      ：ビール缶（缶容器）
Ｃ１    ：缶胴部
Ｃ２    ：蓋部
Ｃ３    ：上縁部
Ｃ４    ：部
Ｍ      ：保持機構
【要約】
【課題】大きな単位で梱包された缶容器を、より小さい単位に効率よく小分けすることのできる、缶容器の保持具を提供する。
【解決手段】缶容器の保持具１であって、複数のビール缶Ｃ、・・・の上縁部Ｃ３に上方から嵌合する上ホルダ２と、複数のビール缶Ｃ、・・・の上縁部Ｃ３に下方から嵌合する下ホルダ３と、上ホルダ２に対して下ホルダ３を上下方向に移動させるグリップ４と、を備えており、グリップ４を握ることによって、上ホルダ２と下ホルダ３とによって、複数のビール缶Ｃ、・・・の上縁部Ｃ３を挟持できるようになっている。
【選択図】図１【図１】
0006831151.tif 000002
【図２】
0006831151.tif 000003
【図３】
0006831151.tif 000004
【図４】
0006831151.tif 000005
【図５】
0006831151.tif 000006
【図６】
0006831151.tif 000007
【図７】
0006831151.tif 000008
【図８】
0006831151.tif 000009
【図９】
0006831151.tif 000010
【図１０】
0006831151.tif 000011
【図１１】
0006831151.tif 000012